(57)【要約】【課題】不審者等に追いかけられたときに被害を防止することができる防犯シェルタおよび防犯避難システムを提供する。【解決手段】シェルタ本体１５が、支柱１４との間に人を収容可能な間隔をあけて支柱１４を包囲している。シェルタ本体１５は、上部および側部が閉じ下部に出入口１９を有している。シェルタ本体１５は、支柱１４に対し昇降可能に設けられ、上昇位置または下降位置で停止可能である。支持部材１６が、支柱１４に取り付けられて、シェルタ本体１５を手動で昇降可能に支持している。監視カメラ１２が、防犯シェルタ１１の周囲および内部を監視するよう支柱１４の上部に設けられている。送信装置１３が、支柱１４に設けられ、監視カメラ１２の映像を送信可能である。【選択図】図１
2006028888.tif 000002
【特許請求の範囲】
【請求項１】
支柱と、
前記支柱との間に人を収容可能な間隔をあけて前記支柱を包囲し前記支柱に対し昇降可能に設けられ、上昇位置または下降位置で停止可能なシェルタ本体とを、
有することを特徴とする防犯シェルタ。
【請求項２】
前記シェルタ本体は上部および側部が閉じ下部に出入口を有し、
前記支柱に取り付けられて前記シェルタ本体を手動で昇降可能に支持する支持部材を有することを、
特徴とする請求項1記載の防犯シェルタ。
【請求項３】
請求項１記載の防犯シェルタと監視カメラと送信装置とを有し、
前記監視カメラは前記防犯シェルタの周囲および内部を監視するよう前記支柱の上部に設けられ、
前記送信装置は前記支柱に設けられ、前記監視カメラの映像を送信可能であることを、
特徴とする防犯避難システム。
【発明の詳細な説明】
【技術分野】
【０００１】
本発明は、防犯シェルタおよび防犯避難システムに関する。
【背景技術】
【０００２】
近年、路上での痴漢やストーカー行為など不審者による犯罪が多発している。このような犯罪に対処するため、道路脇の電柱や街灯などに監視カメラや緊急連絡ボタンを有する端末機器を設置し、不審者に追いかけられたとき通報するとともに監視カメラの映像を送信可能な防犯用のシステムがある。（例えば、特許文献１、２参照）。
【０００３】
【特許文献１】特開２００３−２５６９６１号公報
【特許文献２】特開２０００−２５１５０２号公報
【発明の開示】
【発明が解決しようとする課題】
【０００４】
しかしながら、特許文献１または２記載の防犯用のシステムは、通報等により事件の早期解決を図ることは可能であるが、不審者に追いかけられたときに身を守ることはできないという課題があった。
【０００５】
本発明は、このような課題に着目してなされたもので、不審者等に追いかけられたときに被害を防止することができる防犯シェルタおよび防犯避難システムを提供することを目的としている。
【課題を解決するための手段】
【０００６】
上記目的を達成するために、本発明に係る防犯シェルタは、支柱と、前記支柱との間に人を収容可能な間隔をあけて前記支柱を包囲し前記支柱に対し昇降可能に設けられ、上昇位置または下降位置で停止可能なシェルタ本体とを、有することを特徴とする。
【０００７】
本発明に係る防犯シェルタは、道路脇や公園などの屋外に設置して使用される。シェルタ本体を常時上昇位置に停止させておく。女性や子供などが不審者等に追いかけられたとき、シェルタ本体の下に逃げ込み、シェルタ本体を支柱に対し下降位置まで降ろして停止させる。シェルタ本体が支柱との間に人を収容可能な間隔をあけて支柱を包囲しているため、シェルタ本体と支柱との間に逃げ込むことができる。また、シェルタ本体によりその内部と外部とが隔離されるため、不審者等から身を守ることができる。このように、不審者等に追いかけられたときに被害を防止することができる。
なお、シェルタ本体を支柱に対し上昇位置まで上昇して停止させれば、シェルタ本体の内部から出ることができる。
【０００８】
支柱は、道路脇の電柱や街灯などから成ってもよい。シェルタ本体は、衝撃に強く、鋭利な刃物などでも傷つきにくい材質から成るのが好ましい。シェルタ本体は、内部の状況を確認できるよう、全体が透明な材質から成るか、一部に透明な窓が設けられているのが好ましい。シェルタ本体は、下端に昇降用のハンドルを有しているのが好ましい。シェルタ本体は、内部からのみ昇降可能に設けられているのが好ましい。この場合、不審者等が外部からシェルタ本体を上昇させることができないため、シェルタ本体の内部に逃げ込んだ人の安全を確保することができる。また、シェルタ本体は、上昇しないようロックするロック機構を内部に有していることが好ましい。
【０００９】
シェルタ本体は下降位置のとき下部と設置面との間に間隙を有し、支柱はその間隙の高さより高い位置に足場を有していてもよい。この場合、下降したときシェルタ本体が設置面にぶつかるのを防ぐことができる。また、足場に乗れば、不審者等がシェルタ本体の下部と設置面との間隙から手や物を入れても触ることができず、間隙からの被害を防止することができる。
【００１０】
本発明に係る防犯シェルタで、前記シェルタ本体は上部および側部が閉じ下部に出入口を有し、前記支柱に取り付けられて前記シェルタ本体を手動で昇降可能に支持する支持部材を有することが好ましい。この構成では、不審者等が上部から侵入したり物を投げ入れたりすることができず、上部からの被害を防止することができる。
【００１１】
本発明に係る防犯避難システムは、本発明に係る防犯シェルタと監視カメラと送信装置とを有し、前記監視カメラは前記防犯シェルタの周囲および内部を監視するよう前記支柱の上部に設けられ、前記送信装置は前記支柱に設けられ、前記監視カメラの映像を送信可能であることを、特徴とする。
【００１２】
本発明に係る防犯避難システムは、道路脇や公園などの屋外に設置して使用される。監視カメラが防犯シェルタの周囲および内部を監視し、送信装置がその映像を送信可能に設けられているため、防犯シェルタの内部に逃げ込む様子や、逃げ込んだ人の防犯シェルタの内部での様子、追いかけてきた不審者等を撮影して送信することができる。このため、不審者等による痴漢やストーカー行為などの犯罪を早期に発見して通報することができる。また、不審者等の映像により、犯人の手がかりを得ることができる。このように、不審者等による犯罪の早期解決を図ることができる。
【００１３】
監視カメラは、支柱の上部に設けられているため、いたずらされたり、不審者等により壊されたりしにくくなっている。監視カメラは、防犯シェルタがいたずらされないよう監視するために、常時撮影されるものであってもよい。送信装置は、警察や警備会社などに送信可能であることが好ましい。監視カメラや送信装置の他に、防犯シェルタの周囲および内部を照らす防犯ライトや、警報を発信可能な警報装置を有していてもよい。この場合、防犯ライトにより夜間でも防犯シェルタが目立つため、逃げ込みやすく、監視カメラによる監視も可能となる。また、警報装置により、近所の住人等に異常を知らせたり、不審者等を驚かせたりして身を守ることができる。
【発明の効果】
【００１４】
本発明によれば、不審者等に追いかけられたときに被害を防止することができる防犯シェルタおよび防犯避難システムを提供することができる。
【発明を実施するための最良の形態】
【００１５】
以下、図面に基づき、本発明の実施の形態について説明する。
図１乃至図３は、本発明の実施の形態の防犯シェルタおよび防犯避難システムを示している。
図１に示すように、防犯避難システム１０は、防犯シェルタ１１と監視カメラ１２と送信装置１３とを有している。
【００１６】
図１および図２に示すように、防犯シェルタ１１は、支柱１４とシェルタ本体１５と支持部材１６とを有している。
支柱１４は、コンクリート製で、円柱状に形成されている。支柱１４は、下部を地中に固定して鉛直に設置されている。支柱１４は、設置面から数１０ｃｍ以内の高さの位置に、上面が水平な足場１７を有している。
【００１７】
図１に示すように、シェルタ本体１５は、透明な硬質の強化プラスチックから成り、円筒状に形成されている。シェルタ本体１５は、内部に支柱１４が配置され、支柱１４との間に人を収容可能な間隔をあけて支柱１４を包囲して設けられている。シェルタ本体１５は、上端で支柱１４との間隔を塞ぐ天井１８を有している。このように、シェルタ本体１５は、上部および側部が閉じ、下部に出入口１９を有している。シェルタ本体１５は、内面の下端に昇降用ハンドル２０が取り付けられている。
【００１８】
図２に示すように、支持部材１６は、支柱１４とシェルタ本体１５とを接続し、シェルタ本体１５の内部で支柱１４の中心軸に対して線対称な位置に２つ設けられている。各支持部材１６は、２箇所の屈曲部２１を有し、一端１６ａが支柱１４に固定され、他端１６ｂがシェルタ本体１５にその長さ方向にスライド可能に取り付けられている。支持部材１６は、図２（ａ）に示す上昇位置と、図２（ｂ）に示す下降位置との間でシェルタ本体１５を支柱１４に対し手動で昇降可能に支持している。また、支持部材１６は、シェルタ本体１５を上昇位置および下降位置で停止可能であり、下降位置でシェルタ本体１５が上昇しないようロックするロック機構を有している。
【００１９】
図２（ｂ）に示すように、支持部材１６は、シェルタ本体１５が下降位置のとき各屈曲部２１が伸び、シェルタ本体１５の下部と設置面との間に間隙２２を有するよう構成されている。間隙２２は、シェルタ本体１５の下部の高さが足場１７の高さより低くなるよう設けられている。また、図２（ａ）に示すように、シェルタ本体１５を持ち上げると、まずシェルタ本体１５が他端１６ｂに対して上方にスライドし、その後各屈曲部２１が折り曲がって上昇位置まで上昇するよう構成されている。
【００２０】
図１に示すように、監視カメラ１２は、常時撮影可能なカメラから成る。監視カメラ１２は、防犯シェルタ１１の周囲および内部を監視するよう支柱１４の上部に設けられている。
送信装置１３は、インターネットを介して送信可能な無線式の装置から成り、支柱１４の上部に設けられている。送信装置１３は、監視カメラ１２に接続され、監視カメラ１２の映像を送信可能である。送信装置１３は、あらかじめ設定された警察や警備会社などの送信先に送信するよう設定されている。
【００２１】
次に、作用について説明する。
防犯避難システム１０は、道路脇や公園などの屋外に設置して使用される。シェルタ本体１５を常時上昇位置に停止させておく。女性や子供などが不審者等に追いかけられたとき、シェルタ本体１５の下に逃げ込み、昇降用ハンドル２０によりシェルタ本体１５を支柱１４に対し下降位置まで降ろして停止させる。さらに、ロック機構によりシェルタ本体１５が上昇しないようにロックする。このとき、シェルタ本体１５の下部と設置面との間に間隙２２を有しているため、下降したときシェルタ本体１５が設置面にぶつかるのを防ぐことができる。また、シェルタ本体１５が支柱１４との間に人を収容可能な間隔をあけて支柱１４を包囲しているため、シェルタ本体１５と支柱１４との間に逃げ込むことができる。シェルタ本体１５によりその内部と外部とが隔離されるため、不審者等から身を守ることができる。
【００２２】
昇降用ハンドル２０により内部からのみシェルタ本体１５を昇降可能であり、ロック機構によりシェルタ本体１５が上昇しないようロック可能であるため、不審者等が外部からシェルタ本体１５を上昇させることができず、シェルタ本体１５の内部に逃げ込んだ人の安全を確保することができる。また、支柱１４が間隙２２の高さより高い位置に足場１７を有しているため、足場１７に乗れば、不審者等がシェルタ本体１５の下部と設置面との間隙２２から手や物を入れても触ることができず、間隙２２からの被害を防止することができる。シェルタ本体１５が上端に支柱１４との間隔を塞ぐ天井１８を有しているため、不審者等が上部から侵入したり物を投げ入れたりすることができず、上部からの被害を防止することができる。このように、防犯避難システム１０は、不審者等に追いかけられたときに被害を防止することができる。
なお、ロック機構のロックをはずし、シェルタ本体１５を支柱１４に対し上昇位置まで上昇して停止させれば、シェルタ本体１５の内部から出ることができる。
【００２３】
監視カメラ１２が防犯シェルタ１１の周囲および内部を監視し、送信装置１３がその映像を送信可能であるため、防犯シェルタ１１の内部に逃げ込む様子や、逃げ込んだ人の防犯シェルタ１１の内部での様子、追いかけてきた不審者等を撮影して送信することができる。このため、不審者等による痴漢やストーカー行為などの犯罪を早期に発見して通報することができる。また、不審者等の映像により、犯人の手がかりを得ることができる。このように、不審者等による犯罪の早期解決を図ることができる。
【００２４】
シェルタ本体１５は、硬質の強化プラスチックから成るため、衝撃に強く、鋭利な刃物などでも傷つきにくい。また、シェルタ本体１５が透明であるため、内部の状況を確認できる。監視カメラ１２は、支柱１４の上部に設けられているため、いたずらされたり、不審者等により壊されたりしにくくなっている。また、常時撮影可能な監視カメラ１２により、防犯シェルタ１１がいたずらされないよう監視することができる。
【００２５】
なお、図３（ａ）に示すように、支持部材１６は、シェルタ本体１５にその長さ方向に沿って固定されたスライド部材１６ｃを有し、一端１６ａが支柱１４に固定され、他端１６ｂがスライド部材１６ｃに対してスライド可能に取り付けられていてもよい。図３（ｂ）に示すように、支持部材１６は、２段伸縮ロッドから成り、一端１６ａが支柱１４に固定され、他端１６ｂがシェルタ本体１５に固定されていてもよい。また、図３（ｃ）に示すように、支持部材１６は、支柱１４にその長さ方向に沿って固定されたスライド部材１６ｄを有し、一端１６ａがスライド部材１６ｄに対してスライド可能に取り付けられ、他端１６ｂがシェルタ本体１５に固定されていてもよい。いずれの場合にも、上昇位置と下降位置との間でシェルタ本体１５を支柱１４に対し手動で昇降することができる。なお、図３（ａ）（ｂ）（ｃ）では、支柱１４の中心軸より図中左側にシェルタ本体１５の上昇位置を、図中右側にシェルタ本体１５の下降位置を示す。
【図面の簡単な説明】
【００２６】
【図１】本発明の実施の形態の防犯避難システムを示す（ａ）シェルタ本体が上昇位置のときの斜視図、（ｂ）シェルタ本体が下降位置のときの斜視図である。
【図２】図１に示す防犯シェルタの、シェルタ本体（端面で省略して示す）が（ａ）上昇位置のときの斜視図、（ｂ）下降位置のときの斜視図である。
【図３】図１に示す防犯シェルタの、シェルタ本体（端面で省略して示す）が上昇位置および下降位置のときの、（ａ）支持部材の第１変形例の斜視図、（ｂ）支持部材の第２変形例の斜視図、（ｃ）支持部材の第３変形例の斜視図である。
【符号の説明】
【００２７】
１０  防犯避難システム
１１  防犯シェルタ
１２  監視カメラ
１３  送信装置
１４  支柱
１５  シェルタ本体
１６  支持部材
１７  足場
１８  天井
１９  出入口
２０  昇降用ハンドル
２１  屈曲部
２２  間隙
【図１】
2006028888.tif 000003
【図２】
2006028888.tif 000004
【図３】
2006028888.tif 000005